【手続補正書】
【提出日】平成21年11月6日(2009.11.6)
【手続補正１】
【補正対象書類名】特許請求の範囲
【補正対象項目名】全文
【補正方法】変更
【補正の内容】
【特許請求の範囲】
【請求項１】
複数の物品を収容するためのカートンであって、
前記カートンの内部に少なくとも部分的に延在する複数のパネルであって、前記複数のパネルは上部パネル、底部パネル、第１の側面パネル、および第２の側面パネルを備える複数のパネルと、
前記複数のパネルに、折り畳み可能に取り付けられる少なくとも２つの末端フラップであって、前記末端フラップはお互いに重なり、それにより前記カートンの閉端部を少なくとも部分的に形成し、前記少なくとも２つの末端フラップは前記第１の側面パネル及び前記第２の側面パネルのうちの一方に折り畳み可能に取り付けられる少なくとも１つの側面末端フラップと前記上部パネルに折り畳み可能に取り付けられる上部末端フラップを備える、少なくとも２つの末端フラップと、
前記カートンをつかみ運ぶための取っ手開口部を有する、前記カートンの前記閉端部にある取っ手と、を備え、
前記少なくとも１つの側面末端フラップは、前記カートンの前記閉端部を少なくとも部分的に閉じるための主要パネルと、および前記主要パネルと協働して前記取っ手開口部を形成するため、前記主要パネルに折り畳み可能に取り付けられる強化パネルとを備える、カートン。
【請求項２】
前記主要パネルに折り畳み可能なように取り付けられる拡張パネルをさらに備え、前記強化パネル及び前記拡張パネルのうちの少なくとも一方は、前記主要パネルと、前記主要パネルに重なる末端フラップとの間に配置される、請求項１に記載のカートン。
【請求項３】
前記少なくとも１つの側面末端フラップが、前記第１の側面パネルに折り畳み可能なように取り付けられる第１の側面末端フラップ、および前記第２の側面パネルに折り畳み可能なように取り付けられる第２の側面末端フラップを備え、前記第１及び第２の側面末端フラップの各々は、それぞれ主要パネル及び強化パネルを備えており、前記取っ手は前記第１の側面末端フラップの強化パネルに取っ手切り込み、および前記第２の側面末端フラップの強化パネルに取っ手切り込みを備える、請求項１に記載のカートン。
【請求項４】
前記取っ手が前記第１の側面末端フラップの前記主要パネルに取っ手切り込み、および前記第２の側面末端フラップの前記主要パネルに取っ手切り込みを備え、前記２つの末端フラップの前記取っ手切り込みのそれぞれは協働して前記取っ手開口部を形成する、請求項３に記載のカートン。
【請求項５】
前記上部末端フラップに折り畳み可能なように取り付けられ、前記取っ手開口部を形成するために、前記取っ手切り込みと実質的に合わせられる取っ手フラップを前記取っ手がさらに備える、請求項３に記載のカートン。
【請求項６】
前記拡張パネルが下向きに折り畳まれ、前記拡張パネル及び前記強化パネルのうちの少なくとも１つの表面の少なくとも一部は前記主要パネルの表面の少なくとも一部に接着される、請求項２に記載のカートン。
【請求項７】
前記閉端部は第１の閉端部であり、
前記末端フラップが、前記第１の閉端部を形成するため、お互いに重なっている第１の末端フラップであり、
前記カートンが、前記複数のパネルのそれぞれのパネルに折り畳み可能なようにそれぞれ取り付けられる少なくとも２つの第２の末端フラップをさらに含み、 前記第２の末端フラップは前記カートンの第２の閉端部を少なくとも部分的に形成するため、お互いに重なる、請求項１に記載のカートン。
【請求項８】
前記取っ手は第１の取っ手であり、前記カートンが前記第２の閉端部に第２の取っ手をさらに備える、請求項７に記載のカートン。
【請求項９】
複数の物品と組み合わさっており、前記複数の物品が前記カートン内で直立して配置される瓶を含む、請求項１に記載のカートン。
【請求項１０】
カートンを形成するためのブランクであって、
上部パネル、底部パネル、第１の側面パネル、および第２の側面パネルを備える複数のパネルと、
前記複数のパネルの個別のパネルに折り畳み可能なようにそれぞれ取り付けられる、少なくとも２つの末端フラップであって、前記少なくとも２つの末端フラップは前記第１の側面パネル及び前記第２の側面パネルのうちの一方に折り畳み可能なように取り付けられる少なくとも１つの側面末端フラップと前記上部パネルに折り畳み可能なように取り付けられる上部末端フラップを備える、少なくとも２つの末端フラップと、
前記少なくとも２つの末端フラップ内における特徴部とを備え、前記特徴部は前記ブランクから組み立てられるカートン内で取っ手開口部を少なくとも部分的に画定するために協働するようにされており、
前記少なくとも１つの側面末端フラップは、前記ブランクから組み立てられるカートンの末端を少なくとも部分的に閉じるための主要パネル、および前記主要パネルに折り畳み可能なように取り付けられる強化パネルを備え、前記強化パネルおよび前記主要パネルは前記取っ手開口部を少なくとも部分的に形成するためそれぞれ特徴部を有する、ブランク。
【請求項１１】
前記主要パネルに折り畳み可能なように取り付けられる拡張パネルをさらに備え、前記ブランクから組み立てられる前記カートンが閉じられる際に、前記拡張パネルは前記上部末端フラップに係合することによって下向きに折り畳まれる、請求項１０に記載のブランク。
【請求項１２】
前記取っ手を少なくとも部分的に画定するため、前記拡張パネルが前記主要パネル内の前記特徴部とは離れている、請求項１１に記載のブランク。
【請求項１３】
前記少なくとも１つの側面末端フラップが、前記第１の側面パネルに折り畳み可能に取り付けられる第１の側面末端フラップ、および前記第２の側面パネルに折り畳み可能なように取り付けられる第２の側面末端フラップを備え、前記第１及び第２の側面末端フラップの各々は、それぞれ主要パネル及び強化パネルを備えており、前記特徴部は前記第１の側面末端フラップと前記第２の側面末端フラップ各々の主要パネルにそれぞれ、取っ手切り込み、および前記第１の側面末端フラップと前記第２の側面末端フラップ各々の強化パネルにそれぞれ、取っ手切り込みを備える、請求項１０に記載のブランク。
【請求項１４】
前記取っ手開口部を形成するため、前記上部末端フラップに折り畳み可能なように取り付けられる取っ手フラップを、前記特徴部が備える、請求項１３に記載のブランク。
【請求項１５】
カートンを組み立てる方法であって、該方法は、
カートンを設けるステップを含み、該カートンは、上部パネル、底部パネル、第１の側面パネル、第２の側面パネル、前記カートンの第１の末端で前記側面パネルのうちの少なくとも１つに折り畳み可能なように取り付けられる少なくとも１つの側面末端フラップ、前記第１の末端で前記上部パネルに折り畳み可能なように取り付けられる少なくとも１つの上部末端フラップ、および前記少なくとも１つの上部末端フラップと前記少なくとも１つの側面末端フラップの少なくとも一部分において形成される取っ手を備え、前記少なくとも１つの側面末端フラップの各々は、前記カートンの閉端を少なくとも部分的に形成する主要パネル、および前記主要パネルに折り畳み可能なように取り付けられる強化パネルを備えており、
当該方法は、
前記少なくとも１つの側面末端フラップを折り畳むことによって、前記カートンの前記第１の末端を少なくとも部分的に閉じるステップと、
前記少なくとも１つの側面末端フラップの各々の前記強化パネルを折り畳み、前記強化パネルを前記側面末端フラップそれぞれの前記主要パネルに重ね合わせることによって、前記取っ手を少なくとも部分的に形成するステップと、
前記少なくとも１つの上部末端フラップを折り畳み位置で固定することによって、前記カートンの前記第１の末端を少なくとも部分的に閉じるステップと、
を含む方法。
【請求項１６】
前記カートンが、前記主要パネルに折り畳み可能なように取り付けられる拡張パネルをさらに備え、前記方法は、前記上部末端フラップを下向きに折り畳むことによって、前記上部末端フラップを前記拡張パネルに接触させるステップと、前記拡張パネルを下向きに折り畳むことによって、前記拡張パネルを前記強化パネルに少なくとも部分的に重ね合わせるステップと、をさらに備える、請求項１５に記載の方法。
【請求項１７】
前記主要パネルの表面の少なくとも一部分に前記強化パネルの表面の少なくとも一部分を接着するステップと、前記強化パネルの表面の少なくとも一部分に前記拡張パネルの表面の少なくとも一部分を接着するステップと、をさらに備える、請求項１６に記載の方法。
【請求項１８】
前記少なくとも１つの側面末端フラップは２つの側面末端フラップを備え、前記取っ手は前記少なくとも１つの上部末端フラップに折り畳み可能なように取り付けられる取っ手フラップおよび前記２つの側面末端フラップの前記主要パネルと前記強化パネルの各々の中にそれぞれ取っ手切り込みを備えており、前記方法は、前記取っ手フラップを前記取っ手切り込みの中へ折り畳むことによって、前記カートンの取っ手開口部を形成するステップをさらに含む、請求項１５に記載の方法。